(57)【要約】【課題】設備投資を抑制しながら、極めて低い速度での圧延を可能とする圧延設備の制御装置及び制御方法を提供する。【解決手段】払い出しリールと、少なくとも１個の圧延機と、巻き取りリールと、払い出しリール、圧延機、及び巻き取りリールをそれぞれ駆動する複数の電動機とを有する圧延設備が、制御装置を具備する。この圧延設備の制御装置は、電動機のおのおのと接続され、前記電動機のおのおのの電圧及び／又は周波数を操作することにより前記電動機のおのおのの回転数及び／又はトルクを制御するインバーターと、インバーターの１次周波数を検出する１次周波数検出手段と、検出された前記インバーターの１次周波数に基づいて、インバーターを制御して、インバーターの１次周波数がゼロとならないように、電動機のおのおのの回転数及び／又はトルクを制御する制御手段と、を有する。【選択図】図１
2010264482.tif 000002
【特許請求の範囲】
【請求項１】
入側に被圧延材を送り出す払い出しリールと、
ロール位置を上下方向に操作することが可能な少なくとも１個の圧延機と、
前記圧延機の出側に被圧延材を巻き取る巻き取りリールと、
前記払い出しリール、前記圧延機、及び前記巻き取りリールをそれぞれ駆動する複数の電動機とを有する圧延設備に具備する制御装置であって、
前記各電動機と接続され、前記電動機に加えられる電圧及び／又は周波数を操作することにより前記各電動機の回転数及び／又はトルクを制御するインバーターと、
前記インバーターの１次周波数を検出する１次周波数検出手段と、
検出された前記インバーターの１次周波数に基づいて、前記インバーターを制御して、前記インバーターの１次周波数がゼロとならないように、前記各電動機の回転数及び／又はトルクを制御する制御手段と、
を有することを特徴とする圧延設備の制御装置。
【請求項２】
前記圧延設備が圧延機の入側にストリップ蓄積設備を具備し、前記ストリップ蓄積設備のストリップ残長により、前記圧延設備を加速又は減速することを特徴とする請求項１記載の圧延設備の制御装置。
【請求項３】
前記被圧延材に加えられる張力を変更することにより、前記電動機のトルクを変化させ、前記インバータの１次周波数がゼロとなることを回避することを特徴とする請求項１又は２記載の圧延設備の制御装置。
【請求項４】
前記被圧延材の板厚目標値、又は前記圧延機の荷重目標値を変化させ、前記圧延機を駆動する電動機のトルクを変化させることを特徴とする請求項１〜３のいずれか１項記載の圧延設備の制御装置。
【請求項５】
前記被圧延材の運転状態に応じて、前記被圧延材の運転速度の変更、前記被圧延材に加えられる張力変更、及び／又は、前記被圧延材に加えられる荷重変更の操作を選択して行わせることを特徴とする請求項１〜４のいずれか１項記載の圧延設備の制御装置。
【請求項６】
入側に被圧延材を送り出す払い出しリールと、
ロール位置を上下方向に操作することが可能な少なくとも１個の圧延機と、
前記圧延機の出側に被圧延材を巻き取る巻き取りリールと、
前記払い出しリール、前記圧延機、及び前記巻き取りリールをそれぞれ駆動する複数の電動機と、
前記各電動機と接続され、前記各電動機に加えられる電圧及び／又は周波数を操作することにより前記各電動機の回転数及び／又はトルクを制御するインバーターとを有する圧延設備を制御する制御方法であって、
前記インバーターの１次周波数を検出するステップと、
検出された前記インバーターの１次周波数に基づいて、前記インバーターを制御して、前記インバーターの１次周波数がゼロとならないように、前記各電動機の回転数及び／又はトルクを制御するステップと、
を含むことを特徴とする圧延設備の制御方法。
【請求項７】
前記圧延設備が圧延機の入側にストリップ蓄積設備を具備し、前記ストリップ蓄積設備のストリップ残長により、前記圧延設備を加速又は減速することを特徴とする請求項６記載の圧延設備の制御方法。
【請求項８】
前記被圧延材に加えられる張力を変更することにより、前記電動機のトルクを変化させ、前記インバータの１次周波数がゼロとなることを回避することを特徴とする請求項６又は７記載の圧延設備の制御装置。
【請求項９】
前記被圧延材の板厚目標値、又は前記圧延機の荷重目標値を変化させ、前記圧延機を駆動する電動機のトルクを変化させることを特徴とする請求項６〜８のいずれか１項記載の圧延設備の制御装置。
【請求項１０】
前記被圧延材の運転状態に応じて、前記被圧延材の運転速度の変更、前記被圧延材に加えられる張力変更、及び／又は、前記被圧延材に加えられる荷重変更の操作を選択して行わせることを特徴とする請求項６〜９のいずれか１項記載の圧延設備の制御装置。
【発明の詳細な説明】
【技術分野】
【０００１】
本発明は、冷間圧延設備の制御装置及び制御方法に関する。
【背景技術】
【０００２】
冷間圧延設備において、圧延ラインの停止又は圧延ラインの極低速での運転の際に、電動機のトルク電流を増加させると、電動機の一部の回路又はインバーターの一部のスイッチング素子に電流が集中する。このため、電動機の一部の回路及び／又はインバーターの一部のスイッチング素子が、破損することがある。これを防止するため、圧延ラインの停止時にはトルク電流を低減または制限したり、圧延ラインを極めて低い速度では運転しない等の対策がとられている。
【０００３】
特許文献１に記載の圧延設備に於いては、溶接部において、入側の被圧延材の溶接が完了するまで０ｍｐｍ（ｍ／分）以上５０ｍｐｍ以下の低速にて圧延ラインの運転を継続する。そのため、十分に大きな電流容量を有する電動機及びインバーターを設置する必要がある。実際には、圧延ラインの通常のライン速度での操業に加えて、圧延ラインの通常のライン速度での操業と同じ圧延状態で、圧延ラインを極めて低い速度まで操業可能とするためには、従来の通常の圧延設備に比較して、達成される圧延性能に対して過剰といえる大きな設備投資が必要となる。
【先行技術文献】
【特許文献】
【０００４】
【特許文献１】国際公開第２００８／０６２５０６号パンフレット
【発明の概要】
【発明が解決しようとする課題】
【０００５】
冷間圧延設備において、圧延機および、巻き取りリール、払出しリールなどの駆動には交流電動機と交流電動機を駆動するインバーターを用いるのが一般的となっている。交流電動機は、回転子又は固定子に交流電流を流すことにより、トルクが発生し回転する。交流電流の周波数は、電動機の回転周波数からトルクが発生する方向にスベリ周波数分だけシフトする。低い速度または極めて低い速度で操業する際に、交流電動機の回転数も低くなり、インバーター１次側（電動機側）の周波数も低下する。
【０００６】
電動機が回転方向にトルクを発生する場合には、インバーターの１次周波数は、電動機の回転周波数より、スベリ周波数だけ大きくなるが、電動機の回転方向とは逆方向（回生方向）にトルクを発生する場合には、電動機の回転周波数よりスベリ周波数だけ１次周波数が小さくなる。
【０００７】
このため、電動機を低速で、回生方向に運転した場合には、インバーターの１次周波数がゼロ（直流）に近くなる。インバーターは一般にスイッチング素子で構成されるが、電動機はインダクタンス負荷のため、直流抵抗は低く、低い周波数では印加電圧が下がるため、一般的にスイッチング素子での消費電力が増加する。
【０００８】
更に、インバーターの１次周波数が低い場合には、各相の電流が一定の状態で保持されることになり、一部のスイッチング素子に電流が集中する時間も長くなる。スイッチング素子が破損するのを防止する為、電流を制限する保護回路を設けたり、このような低い速度で電動機及び／又はインバーターを運転しないことが一般的な原則となっている。
【０００９】
しかしながら、特許文献１（国際公開第２００８／０６２５０６号パンフレット）に記載されるような圧延機では、圧延機入側の被圧延材同士を、溶接する間も極めて低い速度で圧延を継続する。
【００１０】
入側の払出しリールから被圧延材を払出し、１本目のコイルの払出しが終わると、２本目のコイルを払出し、１本目のコイルの尾端と２本目のコイルの先端を溶接機にて溶接し、１本のコイルにして圧延する。溶接機の出側にはストリップを貯蔵するストリップ蓄積設備が設けられている。そして、溶接中はストリップ蓄積設備から、被圧延材を供給して圧延を継続する。ストリップ蓄積設備の被圧延材を貯蔵できる最大長さを大きくすれば、比較的高速で圧延を継続することが可能である。
【００１１】
このストリップ蓄積設備においては、設備投資を最小限に抑えるために、ストリップ貯蔵長さの最大値を１００メートル以下に制限している。ストリップの貯蔵長さが短ければ短いほど、設備投資を抑制することにつながり、ストリップ蓄積設備の装置の構成を簡略化できる。ストリップ貯蔵長さの最大値を数メートルにすれば、縦型１段のルーパーによりストリップ蓄積設備を構成することができる。
【００１２】
ストリップ貯蔵長さを制限して短くする場合、入側で溶接している時間だけ圧延機を停止することなく圧延を継続しなければならない。このため、圧延速度を極めて低い速度にする必要がある。
【００１３】
このような圧延機においては、極めて低い圧延速度で操業する場合においても、圧延に必要な張力、圧延トルクを発生することが必要となる。このため、極めて低い運転速度においても十分な性能を発揮する電動機とインバーターが必要となる。このため、せっかく、通常の圧延機の運転速度に対応して圧延設備をコンパクトで低コストに設計しても、極めて低い運転速度で運転できる電動機とインバーターを実現するために、高額な設備投資が必要となるという問題が生じる。
【００１４】
本発明の目的は、設備投資を抑制しながら、極めて低い速度での圧延を可能とする圧延設備の制御装置及び制御方法を提供することである。
【課題を解決するための手段】
【００１５】
上記目的を達成するために、本発明の圧延設備の制御装置は、入側に被圧延材を送り出す払い出しリールと、ロール位置を上下方向に操作することが可能な少なくとも１個の圧延機と、前記圧延機の出側に被圧延材を巻き取る巻き取りリールと、前記払い出しリール、前記圧延機、及び前記巻き取りリールをそれぞれ駆動する複数の電動機とを有する圧延設備に具備する制御装置であって、前記各電動機と接続され、前記電動機に加えられる電圧及び／又は周波数を操作することにより前記各電動機の回転数及び／又はトルクを制御するインバーターと、前記インバーターの１次周波数を検出する１次周波数検出手段と、検出された前記インバーターの１次周波数に基づいて、前記インバーターを制御して、前記インバーターの１次周波数がゼロとならないように、前記各電動機の回転数及び／又はトルクを制御する制御手段と、を有することを特徴とする。
【００１６】
本発明の圧延設備の制御方法は、入側に被圧延材を送り出す払い出しリールと、ロール位置を上下方向に操作することが可能な少なくとも１個の圧延機と、前記圧延機の出側に被圧延材を巻き取る巻き取りリールと、前記払い出しリール、前記圧延機、及び前記巻き取りリールをそれぞれ駆動する複数の電動機と、前記各電動機と接続され、前記各電動機に加えられる電圧及び／又は周波数を操作することにより前記各電動機の回転数及び／又はトルクを制御するインバーターとを有する圧延設備を制御する制御方法であって、前記インバーターの１次周波数を検出するステップと、検出された前記インバーターの１次周波数に基づいて、前記インバーターを制御して、前記インバーターの１次周波数がゼロとならないように、前記各電動機の回転数及び／又はトルクを制御するステップと、を含むことを特徴とする。
【発明の効果】
【００１７】
インバーターの１次周波数がゼロ近傍になることを、回避することで、設備投資を抑制しながら、装置に損傷を生じることなく、極めて低い速度で圧延機を運転することが可能で、かつ、これにより被圧延製品の品質を維持することが可能な圧延設備の制御方法及び制御装置を提供することができる。
【図面の簡単な説明】
【００１８】
【図１】本発明の実施形態に係る圧延設備及びその制御装置の構成を示す図である。
【図２】電動機回転数とインバーターの１次周波数との関係を示す図である。
【図３】電動機の回転速度を変更することにより、インバーターの１次周波数がゼロになることを回避する方法を説明する図である。
【図４】電動機のトルクを変更することにより、インバーター１次周波数がゼロになることを回避する方法を説明する図である。
【図５】１次周波数検出装置の構成の１例を示す図である。
【図６】１次周波数検出装置の構成の１例のフローチャートを示す図である。
【図７】１次周波数検出装置の構成の他の１例を示す図である。
【図８】１次周波数検出装置の構成の他の１例のフローチャートを示す図である。
【図９】圧延機の操業設定変更のフローチャートを示す図である。
【図１０】ペイオフリールの操業設定変更のフローチャートを示す図である。
【発明を実施するための形態】
【００１９】
本発明の実施形態に係る圧延装置の制御装置及び制御方法を、２スタンドの圧延機を備える圧延設備の制御装置及び制御方法を例として説明する。もちろん、本発明は、１スタンド及び３スタンド以上の圧延機を備える圧延装置の制御装置及び制御方法にも適用可能である。
【００２０】
図１は、本発明の実施形態に係る２スタント連続圧延設備の制御装置の概要を示す。本実施形態に係る圧延設備の制御装置は、インバーター１次周波数監視装置７１及び操業設定変更装置７２を備える。
【００２１】
本実施形態においては、ペイオフリール（払出しリール）１０に、被圧延材が巻かれた被圧延コイルを挿入する。そして、ペイオフリール（払出しリール）１０から被圧延材を払出す。次に、ストリップ蓄積設備（ルーパ）１３によって、溶接時に圧延継続することが可能な量の被圧延材を蓄積する。それらの状態で、圧延機スタンド１４、１５によって所望の板厚になるように被圧延材を圧延し、圧延機出側のテンションリール（巻き取りリール）１９に所望の張力で巻き取る。
【００２２】
１本目の被圧延材（コイル）の払出しが終わると、２本目の被圧延材（コイル）をペイオフリール１０に挿入し、１本目の被圧延材の尾端と２本目の被圧延材の先端を溶接機１２にて溶接して接続する。溶接をする間は溶接機では被圧延材を停止させておく必要があるため、この間は、ストリップ蓄積設備１３から被圧延材を供給して極めて低い速度で圧延を継続する。
【００２３】
主幹制御装置６１は、圧延機の速度指令、設定張力に基づいて、第１圧延機スタンド１４および第２圧延機スタンド１５のそれぞれの電動機４１、４２を駆動するインバーター５１、５２に、それぞれ電動機の回転速度指令６１１、６１２を出力する。インバーター５１，５２は、電動機の回転速度指令６１１，６１２に基づいて電動機に流れる電流およびその周波数を操作して、電動機の回転を制御する。
【００２４】
また、主幹制御装置６１は、圧延機入側の張力設定に基づき、ペイオフリール１０の電動機４０に必要なトルクを計算し、インバーター５０にペイオフリール電流指令６１０を出力する。ペイオフリールインバーター５０は、ペイオフリール電流指令に基づき、ペイオフリール電動機４０に流れる電流が指令と同じになるように、電圧および周波数を操作する。
【００２５】
圧延機出側も同様に、主幹制御装置６１が圧延機出側の張力設定に基づき、テンションリール１９の電動機４３に必要なトルクと電流値を求め、電流指令６１３をテンションリールインバーター５３へ出力する。テンションリールインバーター５３は、テンションリール電動機に流れる電流が指令と同じになるように、電圧および周波数を操作する。
【００２６】
板厚制御装置６２は、圧延機入側板厚計２０により、圧延機入側の被圧延材の板厚を測定し、圧延機入側板速度計３０により、被圧延材の速度を検出し、被圧延材の速度から、第１圧延機スタンド直下の入側板厚をトラッキングして求める。
【００２７】
また、板厚制御装置６２は、第１圧延機スタンド出側板速度計３１により、第１圧延機出側の板速度を検出して、第１圧延機スタンドの入側と出側の速度比を求め、第１圧延機スタンド直下の入側板厚に速度比を掛けることによって、第１圧延機スタンド直下の第１圧延機出側板厚を求める。この板圧は、マスフロー板厚と呼ばれている。マスフロー板厚が、設定値となるように第１圧延機スタンドの荷重またはロールの高さ方向の位置を操作することで、板厚を制御する。
【００２８】
第２圧延機スタンドについても、上記と同様に、第１圧延機スタンド出側板厚計２１により第２圧延機スタンド入側の板厚を測定し、第１圧延機スタンド出側板速度計３１にて検出した速度の実績に基づき、第２圧延機スタンド直下の入側板厚を求め、圧延機出側板速度計３２により圧延機出側の板速度を検出し、第１圧延機スタンド出側の板速度と第２圧延機スタンド出側の板速度の速度比を求め、第２圧延機スタンド直下の入側板厚に速度比を掛けることで、マスフロー板厚を求める。
【００２９】
このマスフロー板厚をさらに、第２圧延機スタンド出側板速度計の速度実績に基づき、第２圧延機スタンド出側板厚計２２までトラッキングして、第２圧延機スタンド出側の板厚計の在る位置で第２圧延機スタンドマスフロー板厚を求め、第２圧延機スタンド出側板厚計にて測定した第２圧延機スタンド出側板厚実績と比較することで、第２圧延機スタンドマスフロー板厚の誤差を求め、第２圧延機スタンドマスフロー板厚を補正して、正確なマスフロー板厚を求める。
【００３０】
そして、この正確なマスフロー板厚が、所望の板厚目標値になるように、主幹制御装置６１へ、第１圧延機スタンドの速度変更量を出力すると伴に、第２圧延機スタンドのロールの高さ方向の位置を操作して、第２圧延機スタンド出側の板厚を制御する。これらの方法は一般にマスフロー板厚制御と呼ばれている。
【００３１】
本発明の実施形態では、通常の操業のために必要十分な容量を有する電動機およびインバーターを使用して、５０ｍｐｍ以下、特に、３０ｍｐｍ以下の極めて低い速度においても圧延可能な圧延制御装置及び制御方法を提供する。
【００３２】
本発明の実施形態では、上記のような構成の圧延機において、各電動機を駆動するインバーター５０〜５３にインバーター１次周波数を検出する１次周波数検出装置７１を設ける。そして、１次周波数検出装置７１によって各電動機の１次周波数を検出し、操業設定変更装置７２によって圧延速度、張力、荷重、板厚設定値を変更することにより１次周波数がゼロ近傍にならないように制御する。本発明の１次周波数がゼロ近傍になることを回避する制御装置及び制御方法について以下に説明する。
【００３３】
図２は、電動機の回転数（周波数）とインバーターの１次周波数の関係を表す。図３は、電動機の回転速度を変更することにより、インバーターの１次周波数がゼロになるのを回避することを説明する。図４は、電動機の回転速度を一定にし電動機のトルクを変更することにより、インバーターの１次周波数がゼロになるのを回避することを説明する。
【００３４】
極めて低い速度での圧延機の操業においては、主に圧延機入側の払出しリールの電動機または圧延機の電動機が回生運転を行う。電動機の回生運転では、電動機の回転方向と反対側にトルクを発生し、これにより、スベリ周波数が回転方向と逆に発生する。そのため、低速回転時にインバーターの１次周波数が、電動機回転数より小さくなり、インバーターの１次周波数がゼロに極めて近い状態で運転することになる。このため、一部のスイッチング素子に電流が集中し、装置が破壊することがある。
【００３５】
インバーターの１次周波数を制御するためにはインバーターの１次周波数を求めることが必要である。そして、インバーターの１次周波数を制御して、１次周波数がゼロになることを回避するには、スベリ周波数と電動機の回転数がほぼ同じとなる速度において、インバーターの１次周波数を求めることが必要となる。インバーターの１次周波数は、電動機のトルクおよび回転数から計算によって求めても良いし、インバーターの電流指令から直に計測しても良い。
【００３６】
インバーターの１次周波数を制御してインバーターの１次周波数がゼロになることを回避するには、大きく２種類の方法が考えられる。１つの方法は、図３に示されるように、電動機の回転速度を変更する方法である。電動機の回転速度を変更するためには、圧延機ラインの運転速度を変更する。
【００３７】
また、もう１つの方法には、図４に示されるように、電動機のトルクを変更し、スベリ周波数を変化させる方法がある。電動機のトルクを変更し、スベリ周波数を変化させるためには、圧延機の張力を変更するか、又は圧延機の荷重を変えて、板厚目標値を変更する。
【００３８】
圧延機ラインの運転速度を変更する場合には、圧延機ライン全体の速度指令を変更すれば良いが、溶接時間の制限、圧延機入側のストリップ蓄積設備のストリップ残長により、加速できない場合がある。ストリップ残長がある一定値以下の場合には、圧延機ラインを減速する。
【００３９】
圧延機入側のペイオフリールについては、張力を変更することで、電動機のトルクを変更することが可能である。圧延機の電動機のトルクを変更する場合には、該当圧延機入側または出側の張力を変更するか、或いは、板厚目標値を変更して、圧延荷重を変更することで圧延トルクを変更する。
【００４０】
本発明により、インバーターの１次周波数を監視しながら、１次周波数がゼロ近傍にならないように制御する。すなわち、その時点での操業目的に応じて、圧延速度、張力、板厚設定または、圧延荷重設定を適時変更することで、極低速領域に於いて、操業を継続することが可能となる。
【００４１】
本発明の実施形態に係る制御装置及び制御方法について更に説明する。図５は、電動機１次電流の周波数（１次周波数）を検出する１次周波数検出装置の構成の一例を示している。
【００４２】
図５において、電動機速度制御装置５１、５２および電動機電流制御装置５０，５３より、回転数実績、トルク電流実績、電動機１次周波数実績が、１次周波数検出装置７１へ送られる。そして、これにより、電動機の１次周波数が、直接的に検出される。制御パラメータとしては、１次周波数がゼロとなり装置に損傷を生じることを防止する回避周波数帯域Ｙｒｐｍ、１次周波数ゼロの検出を開始するトルク電流Ｘ％が予め設定される。
【００４３】
図６は、１次周波数検出装置の構成の１例の動作を示すフローチャートである。各電動機のトルク電流の定格電流に対する割合が予め設定された割合（Ｘ％）より大きいか否かを判定する（Ｓ６１）。各電動機のトルク電流の定格電流に対する割合が予め設定された割合（Ｘ％）より大きい場合に、１次周波数の検出を開始する。
【００４４】
電動機速度制御装置または電動機電流制御装置により１次周波数を検出する（Ｓ６２）。検出された１次周波数の絶対値がＹｒｐｍより小さいか否か判定する（Ｓ６３）。検出された１次周波数の絶対値がＹｒｐｍより小さい場合に、操業設定変更要求を発行する（Ｓ６４）。
【００４５】
図７は、電動機１次電流の周波数（１次周波数）を検出する１次周波数検出装置の構成の他の一例を示している。電動機速度制御装置５１、５２および電動機電流制御装置５０，５３より回転数実績、トルク電流実績を１次周波数検出装置７１へ送る。１次周波数検出装置７１において、電動機の１次周波数を予測して、１次周波数の検出を行う。この場合、制御パラメータとして、トルク電流に応じた各電動機のスベリ周波数が必要となるが、各電動機のスベリ周波数は、電動機の特性として既知の値である。この為、電動機の１次周波数を予測することが可能となる。
【００４６】
図８は、１次周波数検出装置の構成の１例の動作を示すフローチャートである。各電動機のトルク電流の定格電流に対する割合が予め設定された割合（Ｘ％）より大きいか否かを判定する（Ｓ８１）。各電動機のトルク電流の定格電流に対する割合が予め設定された割合（Ｘ％）より大きい場合に、１次周波数の検出を開始する。
【００４７】
トルク電流実績およびスベリ周波数設定値、回転数実績から、１次周波数の予測値を計算する（Ｓ８２）。計算した１次周波数の絶対値がＹｒｐｍより小さいか否かを判定する（Ｓ８３）。計算した１次周波数の絶対値がＹｒｐｍより小さい場合には、操業設定変更要求を発行する（Ｓ８４）。
【００４８】
本発明の実施形態において、１次周波数がゼロとなりうる電動機としては、第１圧延機電動機、ペイオフリール電動機が考えられる。そこで、第１圧延機およびペイオフリールの速度、張力等の設定変更を実施する。
【００４９】
図９は圧延機の操業設定変更のフローチャートを示す。圧延機電動機について１次周波数検出装置より操業設定変更要求が有る場合に操業設定を変更する（Ｓ９１）。最初に、ストリップ蓄積設備の被圧延材残り長さを計算する（Ｓ９２ａ）。ストリップ蓄積設備１３より入側に設置されている溶接機１２の溶接工程を検出し、必要な停止時間を計算する（Ｓ９２ｂ）。入側の停止時間とストリップ蓄積設備の被圧延材残り長さから、圧延機の出し得る最高速度を計算する（Ｓ９２ｃ）。最高速度へ加速した場合に１次周波数の絶対値がＹｒｐｍ以上になることが予想される場合（Ｓ９３）には、加速可能と判断し、圧延機を加速する（Ｓ９４）。
【００５０】
最高速度へ加速しても１次周波数の絶対値がＹｒｐｍ以上にならない場合（Ｓ９３）には加速不可と判断し、圧延機全体を減速する（Ｓ９４）。減速すると圧延機ロールと被圧延材の摩擦が増加することから、荷重が増加する。圧延機の荷重が所定の値以下か否か判定する（Ｓ９６）。
【００５１】
圧延機の荷重が所定の値より大きい場合には、荷重の上昇を抑えるため、電動機のトルク、機械的、操業的な張力の上下限値を設定しておき、張力が増加可能な場合には圧延機入側及び出側の張力目標値を増加させる（Ｓ９８）。
【００５２】
張力設定が上限値に到達し、張力目標値を増加できない場合には、減速したまま張力値を保持し、圧延機荷重を制限する（Ｓ９９）。この場合、第１圧延機出側の板厚に偏差が発生するが、第２圧延機にて所望の板厚になるよう調整する。
【００５３】
図１０は、ペイオフリールの操業設定変更フローを表している。ペイオフリール電動機について１次周波数ゼロを検出する。そして、操業設定変更要求が有る場合（Ｓ１０１）には、ストリップ蓄積設備の被圧延材蓄積可能長さを計算し（Ｓ１０２ａ）、圧延機の低速運転時間を計算し（Ｓ１０２ｂ）、ペイオフリールを停止させずに出し得る最高速度を計算する（Ｓ１０２ｃ）。
【００５４】
計算したペイオフリール最高速度へ加速した場合に１次周波数の絶対値がＹｒｐｍ以上になることが予想される場合には、加速可能と判断し（Ｓ１０３）、ペイオフリールを加速する（Ｓ１０４）。最高速度へ加速しても１次周波数の絶対値がＹｒｐｍ以上にならない場合には加速不可と判断し（Ｓ１０３）、ペイオフリールを減速する（Ｓ１０５）。
【００５５】
張力を増加させることで、１次周波数をシフトさせ、１次周波数の絶対値がＹｒｐｍ以上になる場合（Ｓ１０６）には、張力を増加させる（Ｓ１０７）。張力を増加させても１次周波数の絶対値がＹｒｐｍに達しない場合（Ｓ１０６）には、張力を減少させてトルク電流を減少させるとともに、１次周波数を電動機回転と逆方向にシフトさせる。またこのとき、圧延機の荷重をチェックし、圧延機荷重がＺトン以上になる場合（Ｓ１０９）には、荷重制限を設ける（Ｓ１１０）。
【産業上の利用可能性】
【００５６】
本発明は、冷間圧延設備の制御に利用される。
【符号の説明】
【００５７】
１…被圧延材、１０…ペイオフリール、１１…溶接機入側ピンチロール、１２…溶接機、１３…ストリップ蓄積設備（ルーパ）、１４…第１圧延機、１５…第２圧延機、１６…シャー入側ピンチロール、１７…圧延機出側シャー、１８…シャー出側ピンチロール、１９…テンションリール、２０…第１圧延機入側板厚検出器、２１…第１圧延機出側板厚検出器、２２…第２圧延機出側板厚検出器、３０…圧延機入側板速度検出器、３１…第１圧延機出側板速度検出器、３２…第２圧延機出側板速度検出器、４０…ペイオフリール駆動電動機、４１…第１圧延機駆動電動機、４２…第２圧延機駆動電動機、４３…テンションリール駆動電動機、５０…ペイオフリール電動機電流制御装置、５１…第１圧延機駆動電動機速度制御装置、５２…第２圧延機駆動電動機速度制御装置、５３…テンションリール駆動電動機電流制御装置、６１…圧延設備主幹制御装置、６２…板厚制御装置、７１…１次周波数検出装置、７２…操業設定変更装置、７３…速度・張力変更指令、７４…板厚・荷重変更指令、１３１…ストリップ蓄積設備ストリップ残長、５００…ペイオフリール駆動電動機実績データ、５１０…第１圧延機駆動電動機実績データ、５２０…第２圧延機駆動電動機実績データ、５３０…テンションリール駆動電動機実績データ、６１０…ペイオフリール駆動電動機電流指令、６１１…第１圧延機駆動電動機速度指令、６１２…第２圧延機駆動電動機速度指令、６１３…テンションリール駆動電動機電流指令、７００…電力変換器１次周波数
【図１】
2010264482.tif 000003
【図２】
2010264482.tif 000004
【図３】
2010264482.tif 000005
【図４】
2010264482.tif 000006
【図５】
2010264482.tif 000007
【図６】
2010264482.tif 000008
【図７】
2010264482.tif 000009
【図８】
2010264482.tif 000010
【図９】
2010264482.tif 000011
【図１０】
2010264482.tif 000012